(57)【要約】【課題】  印象的な映像効果を有する動画像を含む動画像データを容易に作成することができる撮像装置を提供する。【解決手段】  フォーカシングレンズ６を備えた撮影光学系４を介した被写体光を撮像する撮像素子１２と、撮像素子からの撮像信号に基づくスルー画像を表示する表示部２０と、表示部の表示面に表示されているスルー画像上における少なくとも２つの領域を設定する領域設定部１０と、フォーカシングレンズの駆動を制御することにより、領域設定部により設定された少なくとも２つの領域の中の一領域内の被写体にフォーカス位置を合わせ、一領域内の被写体から、一領域と異なる少なくとも２つの領域の中の他領域内の被写体に、フォーカス位置を所定時間かけて移動させる移動制御部１０と、移動制御部により一領域内の被写体から他領域内の被写体へフォーカス位置を移動させた動画像を含む動画像データを、撮像素子からの撮像信号に基づいて作成する動画像データ作成部１０とを備える。【選択図】  図１
2011101345.tif 000002
【特許請求の範囲】
【請求項１】
フォーカシングレンズを備えた撮影光学系を介した被写体光を撮像する撮像素子と、  前記撮像素子からの撮像信号に基づくスルー画像を表示する表示部と、
前記表示部の表示面に表示されている前記スルー画像上における少なくとも２つの領域を設定する領域設定部と、
前記フォーカシングレンズの駆動を制御することにより、前記領域設定部により設定された前記少なくとも２つの領域の中の一領域内の被写体にフォーカス位置を合わせ、前記一領域内の被写体から、前記一領域と異なる前記少なくとも２つの領域の中の他領域内の被写体に、前記フォーカス位置を所定時間かけて移動させる移動制御部と、
前記移動制御部により前記一領域内の被写体から前記他領域内の被写体へ前記フォーカス位置を移動させた動画像を含む動画像データを、前記撮像素子からの撮像信号に基づいて作成する動画像データ作成部と、
を備えることを特徴とする撮像装置。
【請求項２】
前記所定時間は、変更可能に構成されていることを特徴とする請求項１記載の撮像装置。
【請求項３】
前記移動制御部による前記フォーカス位置の移動の開始タイミングを設定する開始タイミング設定部を備え、
前記移動制御部は、前記開始タイミング設定部により設定された前記開始タイミングから前記フォーカス位置の移動を開始することを特徴とする請求項１または請求項２記載の撮像装置。
【請求項４】
前記移動制御部による前記フォーカス位置の移動開始を指示する指示部を備え、
前記移動制御部は、前記指示部により前記フォーカス位置の移動開始の指示がなされると、前記フォーカス位置の移動を開始することを特徴とする請求項１または請求項２記載の撮像装置。
【請求項５】
前記一領域内及び前記他領域内の少なくとも一方における画像の特徴量の変化を検出する検出部を備え、
前記移動制御部は、前記検出部により検出される前記画像の特徴量に基づいて、前記フォーカス位置の移動を開始することを特徴とする請求項１または請求項２記載の撮像装置。
【請求項６】
前記表示部の表示面に表示されている前記スルー画像上における人物の顔領域を検出する顔領域検出部を備え、
前記検出部は、前記顔領域検出部により検出される前記顔領域と、前記一領域及び前記他領域の少なくとも一方とが重畳する重畳領域の変化を前記画像の特徴量の変化として検出し、
前記移動制御部は、前記検出部により検出される前記重畳領域に基づいて、前記フォーカス位置の移動を開始することを特徴とする請求項５記載の撮像装置。
【請求項７】
手振れを電子的に補正する電子手振れ補正部と、
前記電子手振れ補正部による手振れ補正に基づいて、前記一領域及び前記他領域の少なくとも一方の前記スルー画像に対する位置を補正する位置補正部と、を備え、
前記検出部は、前記位置補正部により前記スルー画像に対する位置を補正された前記一領域内及び前記他領域内の少なくとも一方における画像の特徴量の変化を検出することを特徴とする請求項５記載の撮像装置。
【発明の詳細な説明】
【技術分野】
【０００１】
本発明は、動画像を記録可能な撮像装置に関するものである。
【背景技術】
【０００２】
デジタルカメラにより撮影された合焦位置の異なる近景合焦画像及び遠景合焦画像を取得し、取得した近景合焦画像及び遠景合焦画像のぼけ味調整処理を行い、このぼけ味調整処理に基づいて近景合焦画像の合焦位置から遠景合焦画像の合焦位置まで徐々に変化する複数の合焦変化画像を作成し、近景合焦画像、複数の合焦変化画像及び遠景合焦画像を各フレームとして連結した動画像の画像ファイルを作成する画像処理装置が提案されている（例えば、特許文献１参照）。
【先行技術文献】
【特許文献】
【０００３】
【特許文献１】特開２００２−２９０８３１号公報
【発明の概要】
【発明が解決しようとする課題】
【０００４】
しかしながら上記従来技術で動画ファイルを生成するには、その動画ファイルを構成する各フレームそれぞれを、２枚の画像を合成処理して生成しなければならず、画像合成処理機能を備えておく必要があり、画像処理装置の構成が複雑でコストアップも招く虞がある。ところで、動画像を撮影する場合において、合焦位置が近景から遠景へ徐々に変化する動画像のような印象的な映像効果を有する動画像を、上述のような合成処理を行うことなしに取得可能な技術が所望されている。しかしながら、上述のような印象的な映像効果を有する動画像を、使用者がビデオカメラ等を手動操作して撮影しようとした場合には高度な操作技術を要していた。
【０００５】
本発明の目的は、印象的な映像効果を有する動画像を含む動画像データを容易に作成することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、フォーカシングレンズ（６）を備えた撮影光学系（４）を介した被写体光を撮像する撮像素子（１２）と、前記撮像素子（１２）からの撮像信号に基づくスルー画像（３０）を表示する表示部（２０）と、前記表示部（２０）の表示面に表示されている前記スルー画像（３０）上における少なくとも２つの領域（３２，３６）を設定する領域設定部（１０）と、前記フォーカシングレンズ（６）の駆動を制御することにより、前記領域設定部（１０）により設定された前記少なくとも２つの領域（３２，３６）の中の一領域内の被写体にフォーカス位置を合わせ、前記一領域（３６）内の被写体から、前記一領域（３６）と異なる前記少なくとも２つの領域の中の他領域（３２）内の被写体に、前記フォーカス位置を所定時間かけて移動させる移動制御部（１０）と、前記移動制御部（１０）により前記一領域（３６）内の被写体から前記他領域（３２）内の被写体へ前記フォーカス位置を移動させた動画像を含む動画像データを、前記撮像素子（１２）からの撮像信号に基づいて作成する動画像データ作成部（１０）とを備えることを特徴とする。
【発明の効果】
【０００８】
本発明の撮像装置によれば、印象的な映像効果を有する動画像を含む動画像データを容易に作成することができる。
【図面の簡単な説明】
【０００９】
【図１】実施の形態に係る電子カメラのシステム構成を示すブロック図である。
【図２】実施の形態に係る電子カメラにおいて動画像を撮影する際の処理について説明するためのフローチャートである。
【図３】実施の形態に係る表示部の表示例を示す図である。
【図４】実施の形態に係る表示部の表示例を示す図である。
【図５】実施の形態に係る表示部の表示例を示す図である。
【図６】実施の形態に係る表示部の表示例を示す図である。
【図７】実施の形態に係る表示部の表示例を示す図である。
【図８】実施の形態に係る表示部の表示例を示す図である。
【図９】動画像の記録開始から終了までを示すタイムチャート及びフォーカス位置の変化の状態を示すグラフである。
【図１０】実施の形態に係る表示部の表示例を示す図である。
【図１１】実施の形態に係る表示部の表示例を示す図である。
【図１２】実施の形態に係る表示部の表示例を示す図である。
【図１３】実施の形態に係る表示部の表示例を示す図である。
【図１４】実施の形態に係る電子カメラにおいて動画像を撮影する際の処理について説明するためのフローチャートである。
【図１５】撮像素子により読み出し可能な領域、スルー画像として切り出される領域及び指定枠との位置関係を示す図である。
【図１６】撮像素子により読み出し可能な領域、スルー画像として切り出される領域及び指定枠との位置関係を示す図である。
【図１７】撮像素子により読み出し可能な領域、スルー画像として切り出される領域及び指定枠との位置関係を示す図である。
【発明を実施するための形態】
【００１０】
以下、図面を参照して、本発明の第１の実施の形態に係る撮像装置としての電子カメラについて説明する。図１は、第１の実施の形態に係る電子カメラ２のシステム構成を示すブロック図である。図１に示すように、電子カメラ２には、フォーカシングレンズ６及びフォーカシングレンズ６を光軸方向に駆動させるレンズ駆動部８等を備えた撮影レンズ４が装着されている。レンズ駆動部８は、電子カメラ２（後述する制御部１０）からの制御に従い、フォーカシングレンズ６を駆動させる。なお、この実施の形態においては、撮影レンズ４が電子カメラ２に対して着脱可能なレンズ交換式の電子カメラを例に挙げて説明するが、レンズ一体式の電子カメラであってもよい。また、この実施の形態においては、静止画像及び動画像が撮影可能な電子カメラを例に挙げて説明するが、動画像のみ撮影可能な電子カメラであってもよい。
【００１１】
電子カメラ２は、マイクロプロセッサ等により構成され、電子カメラ２の各部を統括的に制御する制御部１０を備えている。制御部１０には、撮像素子１２、アンプ・Ａ／Ｄ変換部１４、記録媒体１８、表示部２０、スピーカ２２、操作部２４、及び記憶部２６が接続されている。撮像素子１２は、ＣＣＤまたはＣＭＯＳ等により構成され、撮影レンズ４を介した被写体光を撮像して撮像信号を制御部１０に対して出力する。制御部１０は、撮像素子１２からの撮像信号をアナログ信号からデジタル信号に変換し、デジタル信号から画像データを作成する。ＣＭＯＳ型撮像素子の場合は、直接デジタル信号を出力する場合もある。また、制御部１０は、作成された画像データのコントラスト値を検出し、検出されたコントラスト値に基づいてコントラスト方式のオートフォーカスを行う。具体的には、レンズ駆動部８を介してフォーカシングレンズ６を光軸方向に移動させることによりフォーカス位置を調節する。
【００１２】
アンプ・Ａ／Ｄ変換部１４は、マイク１６により集音された電子カメラ２周辺の音声のアナログ信号をデジタル信号に変換し、変換された音声のデジタル信号を制御部１０に対して出力する。制御部１０は、アンプ・Ａ／Ｄ変換部１４から出力された音声のデジタル信号から音声データを作成する。記録媒体１８は、電子カメラ２に設けられたカードスロット（図示せず）に着脱可能に装着される可搬性を有する記録媒体であり、例えば、ＣＦカード、ＳＤカード、スマートメディア等が用いられる。記録媒体１８には、制御部１０において作成された画像データや音声データ等が記録される。
【００１３】
表示部２０は、電子カメラ２の背面部に配置されるＬＣＤ等により構成されるモニタまたはＥＶＦ等により構成され、撮像素子１２からの撮像信号に基づくスルー画像、記録媒体１８に記録されている画像データに基づく静止画像や動画像、後述するシナリオ動画撮影モード毎にサンプル動画データとして電子カメラ２内の不図示のメモリに記憶されているサンプル動画、及び撮影に関する情報等を表示する。スピーカ２２は、記録媒体１８に記録されている音声データや、前述の電子カメラ２内の不図示のメモリに記憶されているサンプル動画データに付随して不図示のメモリに記録されている音声データに基づく音声を出力する。
【００１４】
操作部２４は、電子カメラ２の電源をオン／オフする電源スイッチ、動画像及び音声の記録を開始する際に操作される録画開始ボタン（例えば、ＲＥＣボタンやシャッタボタン等）、動画像及び音声の記録を終了する際に操作される録画終了ボタン（例えば、ＲＥＣボタンやシャッタボタン等）、表示部２０にメニュー等を表示させるためのメニューボタン、メニュー項目等の選択や様々な設定時に操作される十字キー、メニュー項目等の選択や様々な設定に対する確定操作を行うための決定ボタン（ＯＫボタン）等を含んで構成されている。記憶部２６は、表示部２０の表示面に表示されているスルー画像に対して設定されるフォーカスポイント等（後述する）の表示面に対する位置等を記憶する。
【００１５】
この実施の形態に係る電子カメラ２では、制御部１０においてフォーカシングレンズ６の駆動を制御することにより、近い被写体から遠い被写体へフォーカス位置が徐々に変化する動画像を自動的に撮影することができる。以下、図２に示すフローチャートを参照して、第１の実施の形態に係る電子カメラ２において上述の動画像を撮影する際の処理について説明する。
【００１６】
まず、制御部１０は、ユーザーにより動画撮影メニューの表示指示（例えば、メニューボタンの押下）がなされると、表示部２０に、例えば図３に示すような動画撮影メニュー画面２７を表示する。動画撮影メニュー画面２７には、様々な動画撮影モードを選択可能な項目（図３では、シナリオ動画撮影モードＡ，Ｂ，Ｃ，Ｄ，Ｅ）が表示される。ユーザーにより十字キー等を用いて１つの動画撮影モード（図３では、シナリオ動画撮影モードＢ）が選択され、ＯＫボタンが押下されると、制御部１０は、表示部２０に、例えば図４に示すような画面２８を表示する。画面２８には、「サンプル動画を表示しますか？」等のメッセージ、及びメッセージに対する回答を選択するための項目（図４では、「Ｙｅｓ」及び「Ｎｏ」）が表示される。
【００１７】
なお、この実施の形態では、シナリオ動画撮影モードＢが撮影画面内の異なる領域（例えば近い被写体から遠い被写体）にフォーカシングを切り換えながら再生される動画像を撮影するモードであるものとする。また、サンプル動画は、各シナリオ動画撮影モードについての特徴的な映像効果を的確にユーザーに示すためにシナリオ動画撮影モード毎に予め作成されて電子カメラ２内の不図示のメモリ内に記憶されている動画像であり、ユーザーは、サンプル動画を視認することにより、選択したシナリオ動画撮影モードで撮影できる動画像がどういった形態（態様）のものかを容易に理解することができる。
【００１８】
ユーザーにより十字キー等を用いて「Ｙｅｓ」が選択され、ＯＫボタンが押下されると、制御部１０は、表示部２０に、例えば図５に示すようなサンプル動画の表示を行うための画面２９を表示する（図４から図５に表示が切り替わる）。画面２９には、サンプル動画を表示するためのサンプル動画表示エリア２９ａ、選択されたシナリオ動画撮影モードＢについて説明するための簡単な説明文（図５では、「撮影画面内の異なる領域にフォーカシングを切り換えながら再生される動画を撮影します。」）を表示するメッセージ表示エリア２９ｂ、サンプル動画の再表示または動画撮影への移行を選択するためのアイコン（図５では、「再表示」及び「撮影へ」）がそれぞれ表示される。そして、制御部１０は、サンプル動画表示エリア２９ａに、シナリオ動画撮影モードＢのサンプル動画を表示する。
【００１９】
なお、シナリオ動画撮影モードには、図５中の説明文にあるような動画を撮影するモード以外にも、例えば、動く被写体が近づいてくるとスロー再生されるような動画を撮影するモードや、フォーカス状態とズーム状態とを同時に変更しながら動画を撮影するモード等、モード毎に互いに異なるシナリオの下で再生表示されて様々な映像効果が得られる動画撮影モード（他のシナリオ動画撮影モードＡ，Ｃ〜Ｅ）が設けられている。
【００２０】
ユーザーにより十字キー等を用いて「再表示」が選択され、ＯＫボタンが押下されると、制御部１０は、図５に示す画面２９において、サンプル動画表示エリア２９ａにシナリオ動画撮影モードＢに対応するサンプル動画を再表示する。一方、図４に示す画面２８においてユーザーにより「Ｎｏ」が選択された場合、または図５に示す画面２９においてユーザーにより「撮影へ」が選択された場合には、制御部１０は、シナリオ動画撮影モードＢ、即ち撮影画面内の異なる領域にフォーカシングを切り換えながら再生される動画像の撮影へと移行する。
【００２１】
即ち、制御部１０は、図６に示すように、表示部２０の表示面にスルー画像３０、フォーカス移動後の（最後にフォーカスさせる目標の）フォーカスポイント（以下、第２フォーカスポイントという）を設定するための指定枠（図６では破線で示す枠）３２、表示面上部にユーザーに対して第２フォーカスポイントの設定を促すメッセージ（図６では「十字キーでフォーカスポイントを目標位置に移動してください。」）３４ａ、及び表示面右下部にユーザーに対して第２フォーカスポイントに指定枠３２を移動させた後にＯＫボタンを押下する旨を示すメッセージ３４ｂ等を表示する。本説明においては、ユーザーは、表示部２０の表示面に表示されているスルー画像３０上において、第２フォーカスポイント、即ち電子カメラ２に対して遠い被写体（図６では帽子を着用した少女）の位置を設定するものとする。そして、ユーザーにより第２フォーカスポイント（指定枠３２）が定められ、ＯＫボタンが押下されると、制御部１０は、指定枠３２の位置を第２フォーカスポイントとして設定し（ステップＳ１０）、ステップＳ１０において設定された第２フォーカスポイントを記憶部２６に記憶させる（ステップＳ１１）。この際、表示部２０の表示面上部等に「目標位置を記憶しました。」等のメッセージを表示させることもできる。
【００２２】
なお、ユーザーが十字キーを用いて指定枠３２を移動させている際、制御部１０は、指定枠３２内の被写体に対して常時合焦するように、指定枠３２の移動に伴い、レンズ駆動部８を介してフォーカシングレンズ６を駆動させ、フォーカス位置を移動させる。または、ユーザーにより指定枠３２が移動させられている間はフォーカシングレンズ６を移動させず、ユーザーにより指定枠３２が定められ、ＯＫボタンが押下された後、指定枠３２内の被写体に対して合焦するように、フォーカシングレンズ６を移動させてもよい。
【００２３】
次に、制御部１０は、図７に示すように、表示部２０の表示面にスルー画像３０、フォーカス移動を開始する前の（最初の）フォーカスポイント（以下、第１フォーカスポイントという）を設定するための指定枠（図７では破線で示す枠）３６、表示面上部にユーザーに対して第１フォーカスポイントの設定を促すメッセージ（図７では「十字キーでフォーカスポイントを開始位置に移動してください。」）３８ａ、及び表示面右下部にユーザーに対して第１フォーカスポイントを設定した後、動画像の記録を開始する際に録画開始ボタン（図７ではＲＥＣボタン）を押下する旨を示すメッセージ３８ｂ等を表示する。ユーザーは、表示部２０の表示面に表示されているスルー画像３０上において、第１フォーカスポイント、即ち電子カメラ２に対して近い被写体（図７では花畑）の位置を設定する。
【００２４】
なお、図６に示す指定枠３２を移動させている間と同様に、図７に示す指定枠３６を移動させている間においても、制御部１０は、指定枠３６内の被写体に対して常時合焦するように、指定枠３６の移動に伴い、フォーカシングレンズ６を移動させることによりフォーカス位置を移動させる。
【００２５】
次に、制御部１０は、ユーザーにより録画開始ボタン（この実施の形態ではＲＥＣボタン）が押下されたか否かを判別する（ステップＳ１２）。ステップＳ１２において録画開始ボタンが押下されたと判別された場合には（ステップＳ１２、Ｙｅｓ）、制御部１０は、指定枠３６の位置を第１フォーカスポイントとして設定し（ステップＳ１３）、動画像及び音声の記録を開始する（ステップＳ１４）。即ち、図８に示すように、指定枠３６内の被写体としての花畑にフォーカス位置を合わせた状態で動画像の記録を開始し、動画像の記録を開始すると同時に電子カメラ２周囲の音声の記録を開始する。
【００２６】
次に、制御部１０は、フォーカス位置の移動を開始する開始タイミングになると（ステップＳ１５、Ｙｅｓ）、フォーカス位置の移動を開始する。なお、開始タイミングは、予め設定されており、図示しないメモリ等に記憶されている。この実施の形態では、動画像の記録を開始してから２秒後にフォーカス位置の移動を開始するように予め設定されているものとする。
【００２７】
次に、制御部１０は、フォーカシングレンズ６を駆動させることにより、第１フォーカスポイントから第２フォーカスポイントへ（指定枠３６内の花畑から指定枠３２内の少女へ）フォーカス位置を所定時間かけて徐々に移動させる（ステップＳ１６）。なお、所定時間は、予め設定され、図示しないメモリ等に記憶されており、この実施の形態では、２秒間に設定されている。また、フォーカス位置は、所定時間内において線形的に変化させてもよく、Ｓ字特性のように非線形的に変化させてもよい。この実施の形態においては、Ｓ字曲線を描くようにフォーカス位置が変化するように設定されている。
【００２８】
即ち、図９のタイムチャートに示すように、時間ｔ０から録画及び録音を開始した場合、時間ｔ０から時間ｔ１までの間（この実施の形態では２秒間）においては花畑に合焦された状態の動画像が記録され、時間ｔ１からｔ２までの間（この実施の形態では２秒間）においては花畑から少女にフォーカス位置を徐々に移動させた動画像が記録される。このとき、図９のグラフに示すように、時間ｔ１からｔ２までの間においては、Ｓ字曲線を描くように非線形的にフォーカス位置を変化させる。その結果、時間ｔ２以降においては、図１０に示すように、指定枠３２内の少女に合焦された状態の動画像が記録される。
【００２９】
次に、制御部１０は、録画可能時間が経過したか否かを判別する（ステップＳ１７）。録画可能時間は、１つの動画像及び音声を記録する最大時間であって、記録媒体１８の容量等に基づいて予め設定されており、図示しないメモリ等に記憶されている。この実施の形態では、録画可能時間は１５秒間に設定されている。ステップＳ１７において録画可能時間、即ち時間ｔ０から１５秒間経過していないと判別された場合には（ステップＳ１７、Ｎｏ）、制御部１０は、ユーザーにより録画終了ボタン（この実施の形態ではＲＥＣボタン）が押下されたか否かを判別する（ステップＳ１８）。ステップＳ１８において録画終了ボタンが押下されていないと判別された場合には（ステップＳ１８、Ｎｏ）、制御部１０は、ステップＳ１７の処理に戻り、ステップＳ１７及びＳ１８の処理を繰り返す。
【００３０】
一方、ステップＳ１７において録画可能時間が経過したと判別された場合（ステップＳ１７、Ｙｅｓ）、またはステップＳ１８において録画終了ボタンが押下されたと判別された場合（ステップＳ１８、Ｙｅｓ）には、制御部１０は、動画像及び音声の記録を終了する（ステップＳ１９）。即ち、図９のタイムチャートに示すように、時間ｔ３が録画可能時間経過時であった場合、または時間ｔ３がユーザーによる録画終了ボタンの押下のタイミングであった場合には、時間ｔ２から継続されていた図１０に示す指定枠３２内の少女に合焦された状態の動画像の記録、及び音声の記録を時間ｔ３において終了させる。
【００３１】
次に、制御部１０は、時間ｔ１からｔ２にかけて花畑から少女へフォーカス位置を移動させた動画像を含む動画像（時間ｔ０〜ｔ３の動画像）に基づく動画像データを、撮像素子１２からの撮像信号に基づいて作成し、かつ時間ｔ０〜ｔ３の音声に基づく音声データを、マイク１６からアンプ・Ａ／Ｄ変換部１４を介した音声のデジタル信号に基づいて作成する（ステップＳ２０）。そして、作成された動画像データ及び音声データを記録媒体１８に記録させる（ステップＳ２０）。このとき、記録媒体１８への記録前に、「記録してもよいですか？」等の記録媒体１８への記録を確認するメッセージ、及び「はい・いいえ」等の記録媒体１８への記録の有無を選択する選択肢を表示してもよい。
【００３２】
第１の実施の形態に係る電子カメラ２によれば、フォーカス位置が変化する動画像を含む動画像データを容易に作成することができる。即ち、従来においてはフォーカス位置が徐々に変化する動画像を撮影しようとした場合、高度な操作技術を要していた。しかしながら、第１の実施の形態に係る電子カメラ２では、予め移動前のフォーカスポイント及び移動後のフォーカスポイントを設定することにより、高度な操作技術を持ち合わせていなくとも、容易にフォーカス位置が変化する動画像、即ち印象的な映像効果を有する動画像を作成することができる。
【００３３】
なお、第１の実施の形態においては、予め設定された開始タイミングの時間ｔ２になると自動的にフォーカス位置の移動を開始しているが、フォーカス位置の移動の開始を指示する指示ボタン（例えば、シャッタボタン、ＲＥＣボタンやＯＫボタン等）を備え、ユーザーにより指示ボタンが押下されてからフォーカス位置の移動を開始してもよい。この場合には、ユーザーの指示によりフォーカス位置の移動を開始するため、ユーザーがフォーカス位置を移動させたいとき、例えば被写体に変化が生じたとき等からフォーカス位置の移動を開始させることができる。
【００３４】
また、第１の実施の形態においては、フォーカス位置の移動を開始する開始タイミングが予め設定されているが、予め設定された開始タイミングをデフォルトとし、開始タイミングを変更可能に構成することもできる。この場合には、電子カメラの各種設定を行うメニューの中のメニュー項目に開始タイミング設定の項目を加え、フォーカス位置が変化する動画像を記録する前に、メニュー画面を表示部２０に表示し、十字キー等を用いて操作することにより開始タイミングの設定を行う。
【００３５】
次に、図面を参照して、本発明の第２の実施の形態に係る電子カメラについて説明する。第２の実施の形態に係る電子カメラにおいては、第１の実施の形態に係る電子カメラ２の構成と同一の構成を有しているため、その説明を省略し、同一の構成には同一の符号を用いて説明を行う。
【００３６】
この第２の実施の形態においては、制御部１０は、撮像素子１２からの撮像信号に基づいて、所定領域内の画像の特徴量の変化を検出する。画像の特徴量の変化は、例えば画像の明るさや色の変化、ヒストグラムの変化、動きベクトルの発生等のことであり、公知の技術を用いて検出可能である。制御部１０は、動画像を記録している際に検出される所定領域内の画像の特徴量の変化に基づいて、一被写体から一被写体と異なる他の被写体へのフォーカス位置の移動を開始する。
【００３７】
即ち、制御部１０は、図２に示すステップＳ１０〜ステップＳ１４の処理を終えた後、図２に示すステップＳ１５の処理に代えて、指定枠３２内の画像の特徴量の変化を検出し、検出された特徴量の変化が所定量を超えているか否かを判別する処理を行う。例えば、図１１に示すように、指定枠３２内に被写体が存在せず、指定枠３６内の花畑にフォーカス位置を合わせた状態で動画像を記録している間に、図６に示すように、指定枠３２内に少女が移動してきた場合には指定枠３２内の画像の特徴量に変化が生じたと判別する。
【００３８】
なお、所定量は、予め設定されており、図示しないメモリ等に記憶されている。この実施の形態では、指定枠３２内の画像の特徴量に変化が生じた時点、即ち、指定枠３２内の何れかに少女が出現した時点で、指定枠３２内の画像の特徴量の変化が所定量を超えていると判別されるものとする。検出された特徴量の変化が所定量を超えていると判別された場合には、制御部１０は、図２に示すステップＳ１６〜Ｓ２０の処理を行う。即ち、制御部１０は、指定枠３２内の画像の特徴量に変化が生じた時点を、フォーカス位置の移動の開始タイミングとし、第１フォーカスポイントから第２フォーカスポイントにフォーカス位置を所定時間かけて徐々に移動させる（ステップＳ１６）。
【００３９】
次に、図面を参照して、上述の第２の実施の形態の変形例について説明する。この変形例においては、制御部１０は、所定領域内の画像の特徴量の変化として、スルー画像３０上における人物の顔領域を検出し、検出した顔領域と所定領域とが重畳する重畳領域の変化を検出する。
【００４０】
即ち、制御部１０は、図２に示すステップＳ１０〜ステップＳ１４の処理を終えた後、図２に示すステップＳ１５の処理に代えて、まず、図１２に示すように、スルー画像３０上における人物（少女）の顔領域４０を検出する。そして、顔領域４０と指定枠３２とが重畳する重畳領域、具体的には指定枠３２に対して顔領域４０が重畳する割合を検出する。図１２では、顔領域４０と指定枠３２とが重畳していないため、重畳する割合は０％である。そして、制御部１０は、この重畳する割合が所定割合を超えているか否かを判別する。例えば、図１２に示すように、重畳する割合が０％であって、指定枠３６内の花畑にフォーカス位置を合わせた状態で動画像を記録している間に、図１３に示すように、少女が移動し、指定枠３２に対して顔領域４０が重畳する割合が所定割合を超えたと判別されると、制御部１０は、指定枠３２内の画像の特徴量に変化が生じたと判別する。
【００４１】
なお、所定割合は、予め設定されており、図示しないメモリ等に記憶されている。また、所定割合は、メニュー画面等を表示部２０に表示し、十字キー等を用いて操作することにより、任意に設定可能である。この実施の形態では、所定割合は、少女の目・鼻・口が指定枠３２内に入る割合（例えば８０％）に設定されているものとする。
【００４２】
次に、指定枠３２内の画像の特徴量に変化が生じたと判別された場合には、制御部１０は、図２に示すステップＳ１６〜Ｓ２０の処理を行う。即ち、制御部１０は、指定枠３２内の画像の特徴量に変化が生じた時点を、フォーカス位置の移動の開始タイミングとし、第１フォーカスポイントから第２フォーカスポイントにフォーカス位置を所定時間かけて徐々に移動させる（ステップＳ１６）。
【００４３】
第２の実施の形態に係る電子カメラによれば、第１の実施の形態に係る電子カメラ２における効果に加えて、指定枠３２内の画像の特徴量の変化に基づいて、フォーカス位置移動の開始タイミングを制御することができる。即ち、指定枠３２内に被写体が移動してきたとき等、ユーザーがフォーカス位置移動の開始を所望するタイミングを逃すことなく、フォーカス位置の移動を開始することができる。
【００４４】
次に、図面を参照して、本発明の第３の実施の形態に係る電子カメラについて説明する。第３の実施の形態に係る電子カメラにおいては、第１の実施の形態に係る電子カメラ２の構成と同一の構成を有しているため、その説明を省略し、同一の構成には同一の符号を用いて説明を行う。
【００４５】
この第３の実施の形態においては、制御部１０は、動画像撮影中において手振れが発生した場合に、電子的な手振れ補正（電子手ぶれ補正）を実行し、電子手振れ補正の補正量に基づいて所定領域（指定枠３２及び指定枠３６の少なくとも一方）の、スルー画像３０に対する位置を補正する。そして、第２の実施の形態に係る電子カメラ２と同様に、所定領域内の画像の特徴量の変化を検出し、検出結果に基づいて一被写体から一被写体と異なる他の被写体へのフォーカス位置の移動を開始する。
【００４６】
以下、図１４に示すフローチャートを参照して、第３の実施の形態に係る電子カメラ２において上述の動画像を撮影する際の処理について説明する。なお、図１４に示すステップＳ３０〜Ｓ３４の処理は、図２に示すステップＳ１０〜Ｓ１４の処理と同一のため、説明を省略する。
【００４７】
制御部１０は、ステップＳ３０〜Ｓ３４の処理を終えた後、周知の手振れ検出技術を用いて手振れの有無を検出可能な手振れ検出部（図示せず）による検出結果に基づいて、手振れがあったか否かを判別する（ステップＳ３５）。ステップＳ３５において手振れがあったと判別された場合には（ステップＳ３５、Ｙｅｓ）、制御部１０は、手振れ検出部による検出結果に基づいて電子手振れ補正、及び移動前後のフォーカスポイントの位置補正を行う（ステップＳ３６）。
【００４８】
図１５は、手振れのない状態での撮像素子１２により読み出し可能な領域４２、及びスルー画像３０として切り出される領域４４内の位置関係を示す図、図１６は、例えば紙面斜め方向に手振れした状態での撮像素子１２により読み出し可能な領域４２、及びスルー画像３０として切り出される領域４４内の位置関係を示す図である。スルー画像３０として切り出される領域４４の領域４２に対する位置は、手振れがない場合には図１５に示すように、略中央であるのに対し、手振れがあった場合には図１６に示すように、手振れした方向及び量（図１６に示す矢印Ｖ）だけ移動されることにより手振れ補正される。即ち、手振れした場合においても、撮像素子１２からの撮像信号に基づくスルー画像３０が変化しないように、撮像素子１２により読み出し可能な領域４２から切り出す領域４４を変化させる。また、移動後のフォーカスポイントである指定枠３２及び移動前のフォーカスポイントである指定枠３６の領域４２に対する位置は、ステップＳ３０及びＳ３３において領域４２に対して指定されるため、手振れ補正前後で変化しない。したがって、手振れ補正により指定枠３２内の特徴量が変化し、フォーカス位置の移動を開始するのを防止するために、手振れ補正と同時、または手振れ補正した直後に、例えば図１７に示すように、指定枠３２，３６の領域４２に対する位置を、手振れした方向及び量（図１６に示す矢印Ｖ）だけ移動させることにより位置補正する。なお、表示部２０には、手振れ補正された領域４４内のスルー画像３０、及び位置補正された指定枠３２，３６が常時表示されるため、表示部２０に表示されるスルー画像３０及び指定枠３２，３６は変化しない。一方、ステップＳ３５において手振れがないと判別された場合には（ステップＳ３５、Ｎｏ）、制御部１０は、ステップＳ３６の処理を行うことなく、ステップＳ３７の処理に進む。
【００４９】
次に、制御部１０は、第２の実施の形態と同様に、指定枠３２内の画像の特徴量の変化を検出し、検出された特徴量の変化が所定量を超えているか否かを判別する処理を行う（ステップＳ３７）。または、第２の実施の形態の変形例と同様に、スルー画像３０上における人物の顔領域と指定枠３２とが重畳する重畳領域の変化を指定枠３２内の画像の特徴量の変化として検出し、検出された特徴量の変化が所定量を超えているか否かを判別する処理を行う（ステップＳ３７）。
【００５０】
ステップＳ３７において特徴量の変化が所定量を超えていないと判別された場合には（ステップＳ３７、Ｎｏ）、制御部１０は、ステップＳ３５の処理に戻り、ステップＳ３５〜Ｓ３７の処理を繰り返す。一方、ステップＳ３７において特徴量の変化が所定量を超えていると判別された場合には（ステップＳ３７、Ｙｅｓ）、制御部１０は、ステップＳ３８の処理に進む。なお、ステップＳ３８〜Ｓ４２の処理は、図２に示すステップＳ１６〜Ｓ２０の処理と同一のため、説明を省略する。
【００５１】
第３の実施の形態に係る電子カメラ２によれば、第１の実施の形態に係る電子カメラ２における効果に加えて、撮像素子１２により読み出し可能な領域４２に対する位置として指定される指定枠３２，３６の位置を、手振れ補正したときに手振れ補正した方向及び量だけ移動させることにより補正するため、フォーカス移動を開始するタイミングでないのに、手振れ補正したことにより指定枠３２内の特徴量が変化し、フォーカス移動を開始するのを防止することができる。即ち、手振れがあった場合においても、ユーザーがフォーカス位置移動の開始を所望するタイミングを誤ることなく、フォーカス位置の移動を開始することができる。
【００５２】
なお、上述の第２及び第３の実施の形態においては、第２フォーカスポイントを指定する指定枠３２内の画像の特徴量の変化に基づいてフォーカス位置の移動を開始しているが、第１フォーカスポイントを指定する指定枠３６内の画像の特徴量の変化に基づいてフォーカス位置の移動を開始してもよい。また、指定枠３２または指定枠３６内の画像の特徴量に変化が生じた後等にフォーカス位置の移動を開始してもよい。また、第３の実施の形態においては、指定枠３２，３６の位置を、手振れ補正したときに手振れ補正した方向及び量だけ移動させることにより補正しているが、指定枠３２内の画像の特徴量の変化に基づいてフォーカス位置の移動を開始する場合には指定枠３２のみの位置を、指定枠３６内の画像の特徴量の変化に基づいてフォーカス位置の移動を開始する場合には指定枠３６のみの位置を補正する構成にすることもできる。
【００５３】
なお、上述の各実施の形態においては、フォーカス位置を変化させる時間である所定時間が予め設定されているが、予め設定された所定時間をデフォルトとし、所定時間を変更可能に構成することもできる。この場合には、メニューの中のメニュー項目に所定時間設定の項目を加え、フォーカス位置が変化する動画像を記録する前に、メニュー画面を表示部２０に表示し、十字キー等を用いて操作することにより所定時間の設定を行う。
【００５４】
また、上述の各実施の形態においては、第２フォーカスポイントを設定した後に第１フォーカスポイントを設定しているが、第１フォーカスポイントを設定した後に第２フォーカスポイントを設定してもよい。この場合には、制御部１０は、ユーザーによる録画開始の指示の後、フォーカシングレンズ６を駆動させることにより第１フォーカスポイント（指定枠３６内の花畑）にフォーカス位置を移動させ、録画及び録音を開始する。また、第１フォーカスポイントを最初に設定するか、第２フォーカスポイントを最初に設定するかを、予め設定することができる構成にしてもよい。この場合には、メニューの中のメニュー項目にフォーカスポイントの設定順序の項目を加え、フォーカス位置が変化する動画像を記録する前に、メニュー画面を表示部２０に表示し、十字キー等を用いて操作することによりフォーカスポイントの設定順序を設定する。
【００５５】
また、上述の各実施の形態においては、図９のグラフに示すように、フォーカス位置が非線形的に変化するように予め設定されているが、これをデフォルトとし、フォーカス位置が線形的に変化するかまたは非線形的に変化するかを選択可能に構成してもよい。この場合には、メニューの中のメニュー項目に線形的か非線形的かを選択する項目を加え、フォーカス位置が変化する動画像を記録する前に、メニュー画面を表示部２０に表示し、十字キー等を用いて操作することにより線形的か非線形的かの選択を行う。
【００５６】
また、上述の各実施の形態においては、２つの指定枠３２，３６を設定しているが、３つ以上の指定枠を設定することもできる。この場合には、例えばまず、１番目の指定枠内の被写体から２番目の指定枠内の被写体へ、次に、２番目の指定枠内の被写体から３番目の指定枠内の被写体へ、フォーカス位置を移動させる。また、指定枠３２，３６の大きさを変更可能、かつ指定枠３２，３６の大きさを個別に設定可能な構成にすることもできる。即ち、指定枠３６が指定枠３２の大きさと異なる大きさを有するように設定することもできる。
【００５７】
また、上述の各実施の形態においては、２つの指定枠３２，３６を十字キーやＯＫボタンを用いて設定しているが、電子カメラ２にタッチパネルＩ／Ｆ、及びタッチパネルＩ／Ｆに接続され、表示部２０の表示画面上に設けられるタッチパネルを備え、このタッチパネルを用いて指定枠３２，３６を設定してもよい。この場合には、制御部１０は、タッチパネル（表示部２０の表示画面）上に例えばユーザーの指、ペン等で触れることによりタッチパネルＩ／Ｆを介して認識し、認識結果に基づいた処理を行う。
【００５８】
また、上述の各実施の形態においては、近い被写体から遠い被写体へフォーカス位置を移動させた動画像を記録しているが、遠い被写体から近い被写体へフォーカス位置を移動させた動画像を記録することもできる。
【００５９】
また、上述の各実施の形態においては、録画可能時間が予め設定されており、録画可能時間より長い時間の録画を禁止しているが、ユーザーにより録画終了ボタンが押下されるまで録画及び録音を継続する構成にすることもできる。また、予め設定された録画可能時間をデフォルトとし、録画可能時間を変更可能に構成することもできる。
【００６０】
また、上述の各実施の形態においては、フォーカス位置の検出方法（オートフォーカス機能）としてコントラスト検出方式によるオートフォーカス機能を備えた電子カメラを例に挙げて説明したが、本発明はこれに限られるものではない。例えば特開２００９−８９１４４号公報記載のような、撮像素子１２の一部に、瞳分割位相差検出方式を行うためのＡＦ用画素が埋め込まれた撮像素子を用いてオートフォーカス機能を実現する電子カメラについても本発明を適用することができる。
【符号の説明】
【００６１】
２…電子カメラ、４…撮影レンズ、６…フォーカシングレンズ、８…レンズ駆動部、１０…制御部、１２…撮像素子、１４…アンプ・Ａ／Ｄ変換部、１６…マイク、１８…記録媒体、２０…表示部、２２…スピーカ、２４…操作部、２６…記憶部。
【図１】
2011101345.tif 000003
【図２】
2011101345.tif 000004
【図３】
2011101345.tif 000005
【図４】
2011101345.tif 000006
【図５】
2011101345.tif 000007
【図６】
2011101345.tif 000008
【図７】
2011101345.tif 000009
【図８】
2011101345.tif 000010
【図９】
2011101345.tif 000011
【図１０】
2011101345.tif 000012
【図１１】
2011101345.tif 000013
【図１２】
2011101345.tif 000014
【図１３】
2011101345.tif 000015
【図１４】
2011101345.tif 000016
【図１５】
2011101345.tif 000017
【図１６】
2011101345.tif 000018
【図１７】
2011101345.tif 000019